(57)【要約】  【課題】従来の自動販売機の硬貨回収装置においては、案内部材を前後方向にスライドさせているので、後方にスライドさせた場合、案内部材の上部に硬貨識別機からはずれた開口部分ができ、硬貨がはねた場合こぼれてうまく回収できない課題があった。  【解決手段】本発明の自動販売機の硬貨回収装置は、切替えシュート１０３を左右方向に回転させることにより、釣り銭返却口７と回収用集金箱４への切替えを行うので、硬貨がはねてこぼれる事がなく、また、外扉２の回動にスムーズに追従することができる。【選択図】図１
2007164236.tif 000002
【特許請求の範囲】
【請求項１】
外扉に設置される硬貨識別機の釣銭払出口から払い出された硬貨を釣銭返却口または回収用集金箱に案内する硬貨回収装置を備えた自動販売機において、前記硬貨回収装置は前記釣銭払出口から落下する硬貨を受ける返却シュートと、前記返却シュートの左右方向に隣接し前記回収用集金箱に連通する回収シュートを備え、前記返却シュートの途中に硬貨の通路を切替える切替えシュートを有し、前記切替えシュートは前記返却シュートと前記回収シュート内を左右方向に回動可能に支持され、前記外扉が閉時には前記切替えシュートが弾性部材の付勢力に反して回動し、前記返却シュートと前記釣銭返却口が連通するように切り換えられ、前記外扉開放時には前記切替えシュートが弾性部材の付勢力により回動し、硬貨は前記返却シュートから前記切替えシュートを通って前記回収用集金箱に案内されることを特徴とする自動販売機。
【発明の詳細な説明】
【技術分野】
【０００１】
本発明は、自動販売機の硬貨識別機に収納された硬貨を回収する硬貨回収装置に関するものである。
【背景技術】
【０００２】
自動販売機には、外扉内側に硬貨識別機が備えられ、また、外扉前面に釣銭返却口が設けられている。前記硬貨識別機には釣銭払出口と、硬貨識別機内に釣銭用として収容しきれなくなった硬貨を払い出す回収用払出口がある。そして、釣銭払出口から払い出された硬貨を釣銭返却口へ案内する返却シュート、及び回収用払出口から払い出された硬貨を、識別機下方に設けられた回収用集金箱に案内する回収シュートが個別に設けられている。また、回収用払出口から排出される硬貨を、返却シュートに導くか、回収シュートに導くかを振り分ける案内部材が設けられている（例えば、特許文献１参照）。
【０００３】
図５は従来の自動販売機の外扉を開けた状態の斜視図、図６は同従来の自動販売機の外扉を閉じた時の硬貨回収装置の斜視図、図７は同従来の自動販売機の外扉を開けた時の硬貨回収装置の斜視図である。
【０００４】
以下、図５から図７を参照しながら、従来の自動販売機の硬貨回収装置について説明する。
【０００５】
自動販売機の本体１の前部に外扉２が取付けられ、外扉２の裏面に硬貨識別機３、硬貨識別機３の下方には回収用集金箱４か設けられている。硬貨識別機３の底面には釣銭払出口５及び回収用払出口６が形成されている。また、外扉前面には釣銭返却口７が設けられている。回収用払出口６から払い出された硬貨は、案内部材８を経て回収シュート９により回収用集金箱４に導かれる。また、釣銭払出口５から払い出された硬貨は、案内部材８を経て、返却シュート１０から釣銭返却口７へ払い出される通路と、案内部材８を経て、回収シュート９から回収用集金箱４へ払い出される通路がある。案内部材８は、両脇をドアフレーム１１に前後方向に摺動自在に保持され、また、スプリング１２よって常に後方に付勢されている。自動販売機の本体１には、押圧部材１４が取付けられ、外扉２を閉じていくと、スプリング１２により後方に付勢されている案内部材８を、付勢力に反して押圧し、ドアフレーム１１に収納される。案内部材８がドアフレーム１１に収納されている位置にある場合は、案内部材８の第一開口部１３ａが硬貨識別機３の釣銭払出口５の真下に位置し、硬貨を返却シュート１０に導く。また、外扉２を開き、押圧部材１４が案内部材８を押圧していない状態では、案内部材８はスプリング１２に付勢され後方に突出した位置にくる。その場合、案内部材８の第二開口部１３ｂが、硬貨識別機３の釣銭払出口５の真下に位置し、硬貨を回収シュート１１に導く。
【０００６】
以上のように構成された従来の硬貨回収装置についてその動作について説明する。
【０００７】
まず、通常の販売状態について説明する。外扉２は本体１に対して閉じられた状態であるため、案内部材８は押圧部材１４により前方に押圧されフレームドア１１に収納された位置にある。その状態にて、販売動作が行われると、硬貨識別機３より釣銭として硬貨が払出される場合、硬貨識別機３の釣銭払出口５より払出された硬貨は、案内部材８の第一開口部１３ａを経て、返却シュート１０から釣銭返却口７に導かれる。また、硬貨識別機３には、一定量の硬貨を保持できるがそれを超えると、あふれた硬貨は、回収用払出口６から払出され、案内部材８の第二開口部１３ｂを経て、回収用集金箱４に収納される。
【０００８】
次に、自動販売機の管理者が、硬貨を回収する場合について説明する。管理者が扉２を開くと、スプリング１２の付勢により案内部材８が後方にスライドし、案内部材の第二開口部１３ｂが硬貨識別機３の釣銭払出口５の真下くる。そして、硬貨識別機３を操作することにより、硬貨識別機３が保持している硬貨を釣銭払出口５から払出す。払出された硬貨は、案内部材８の第二開口部１３ｂを経て、回収シュート９に導かれ、回収用集金箱４に集められる。これにより、すでに回収用集金箱４に貯められている硬貨とともに硬貨識別機３内の硬貨も同時に回収することができる。
【特許文献１】特許第２８９４９１５号公報
【発明の開示】
【発明が解決しようとする課題】
【０００９】
しかしながら、前記従来の構成では、案内部材を前後方向にスライドさせているので、後方にスライドさせた場合、案内部材の上部に硬貨識別機からはずれた開口部分ができ、硬貨がはねた場合こぼれてうまく回収できない課題があった。また、従来はドア開閉に連動して直接案内部材を前後方向にスライドさせていたので、案内部材に対して傾いて押圧することにより衝撃がかかり、スライド部の磨耗劣化によりすべりが悪くなり、強いては、外扉を閉める際に余分に力がかかってしまうという課題があった。
【００１０】
この発明はドア開閉による案内部材への衝撃を緩和し、コイン回収を確実に行うことを目的とする。
【課題を解決するための手段】
【００１１】
前記従来の課題を解決するために、本発明の自動販売機は、外扉に設置される硬貨識別機の回収用払出口から払い出された硬貨を回収用集金箱に案内する回収シュートと、前記硬貨識別機の釣銭払出口から払い出された硬貨を釣銭返却口に案内する返却シュートを備える自動販売機において、前記返却シュート途中に設けられた切替えシュートを左右方向に回動可能に支持するとともに、前記外扉が閉時には前記切替えシュートが弾性部材の付勢力に反して回動し、前記外扉開放時には前記切替えシュートが弾性部材の付勢力により回動するように前記切替えシュートの回動支点を定め、付勢力に反して回動した回動位置では前記切替えシュートが前記硬貨識別機から落下した硬貨を前記釣銭返却口に案内する位置に保持され、付勢力により回動した回動位置では前記切替えシュートが前記硬貨識別機から落下した硬貨を前記回収用集金箱に案内する位置に保持されたことにより、硬貨回収時に、スライド動作の場合ように案内部材が後方にスライドし硬貨識別機からずれ開口部ができて硬貨がはねてこぼれることがなく、また、ドアの回転運動を案内部材の前後のスライド動作に変換する際の衝撃がなく、ドアの回転軸と案内部材の回転軸が平行であるので、スムーズに追従することができる。この結果、ドア開閉による案内部材への衝撃を緩和し、コイン回収を確実に行うという目的が達成できる。
【発明の効果】
【００１２】
本発明の自動販売機は、硬貨回収時に、スライド動作の場合ように案内部材が後方にスライドし硬貨識別機からずれ開口部ができて硬貨がはねてこぼれることがなく、また、ドアの回転運動を案内部材の前後のスライド動作に変換する際の衝撃がなく、ドアの回転軸と案内部材の回転軸が平行であるので、スムーズに追従することができ、ドア開閉による案内部材への衝撃を緩和し、コイン回収を確実に行うことができる。
【発明を実施するための最良の形態】
【００１３】
請求項１に記載の発明は、外扉に設置される硬貨識別機の釣銭払出口から払い出された硬貨を釣銭返却口または回収用集金箱に案内する硬貨回収装置を備えた自動販売機において、前記硬貨回収装置は前記釣銭払出口から落下する硬貨を受ける返却シュートと、前記返却シュートの左右方向に隣接し前記回収用集金箱に連通する回収シュートを備え、前記返却シュートの途中に硬貨の通路を切替える切替えシュートを有し、前記切替えシュートは前記返却シュートと前記回収シュート内を左右方向に回動可能に支持され、前記外扉が閉時には前記切替えシュートが弾性部材の付勢力に反して回動し、前記返却シュートと前記釣銭返却口が連通するように切り換えられ、前記外扉開放時には前記切替えシュートが弾性部材の付勢力により回動し、硬貨は前記返却シュートから前記切替えシュートを通って前記回収用集金箱に案内されることにより、硬貨回収時に、スライド動作の場合ように案内部材が後方にスライドし硬貨識別機からずれ開口部ができて硬貨がはねてこぼれることがなく、また、ドアの回転運動を案内部材の前後のスライド動作に変換する際の衝撃がなく、ドアの回転軸と案内部材の回転軸が平行であるので、スムーズに追従することができる。
【００１４】
以下、本発明による自動販売機の実施の形態について、図面を参照しながら説明する。なお、従来と同一構成については同一符号を付してその詳細な説明を省略する。なお、本実施の形態によって本発明が限定されるものではない。
【００１５】
（実施の形態１）
図１は本発明の実施の形態１における自動販売機の外扉を閉じた時の硬貨回収装置の斜視図、図２は本発明の実施の形態１における自動販売機の外扉を開けた時の硬貨回収装置の斜視図、図３は本発明の実施の形態１における図２の要部断面図、図４は本発明の実施の形態１における図１の要部断面図である。
【００１６】
従来技術と同様に外扉２の裏面に硬貨識別機３の下方に回収用集金箱４が備えられ、硬貨識別機３と回収用集金箱４の間に硬貨回収装置２００が形成され、硬貨回収装置２００は、硬貨識別機３の硬貨を釣銭として釣銭返却口７へ払いだす動作と、集金として回収用集金箱４に回収する切り替え動作を行う。この硬貨回収装置２００の詳細について下記に説明する。
【００１７】
図１から図４において、硬貨識別機３の下方に硬貨回収装置２００が形成され、具体的には硬貨識別機３の底面に備えた釣銭払出口５の下方に、返却シュート１０１を備え、返却シュート１０１の左右方向で回収用集金箱４の上部には回収シュート１０２が設けられている。返却シュート１０１と回収シュート１０２は一体にユニット２０３として構成され外扉２にビスで固定されている。
【００１８】
返却シュート１０１と回収シュート１０２の間に、略角筒形の切替えシュート１０３が設けられている。切替えシュート１０３は返却シュート１０１と回収シュート１０２の間をつなぐ通路として、または返却シュート１０１と釣銭払出口７をつなぐ通路として左右方向に回動して切替え通路の機能の役目をしている。
【００１９】
そして切替えシュート１０３の底部には、切替えシュート１０３を左右に回動させる軸１０３ａが設けられ、軸１０３ａにはスプリング１０４が取付けられている。スプリング１０４の一端は切替えシュート１０３にある突起１０３ｂに係止され、また、他端が回収シュート１０２に係止されることにより、切替えシュート１０３は、常に返却シュート１０１側に付勢されている。
【００２０】
また、切替えシュート１０３の上部には、棒状突起１０３ｃが設けられている。レバー１０５は、略Ｌ字型をし、回収シュート１０２に設けられた軸受け部１０２ａに水平方向に回動自在に軸止されている。レバー１０５の前端１０５ａは、切替えシュート１０３の棒状突起１０３ｃに当接し、スプリング１０４に付勢されている切替えシュート１０３の動きにより、返却シュート１０１側に付勢されている。レバー１０５の後端は、外扉２側に突出し、先端は略球形の滑らかな形状をし、外扉２を閉じると従来技術と同様に押圧部材１４に当接する。
【００２１】
図４は図１の要部断面図で、レバー１０５が押圧部材１４に当接した、いわゆる外扉２を閉じた状態の斜視図で、返却シュート１０１の上部返却シュート口１０１ａは釣銭払出口５よりも大きく開口して形成され、返却シュート１０１の下部返却シュート口１０１ｂは釣銭返却口７と連通するように形成されている。また切替えシュート１０３は上部切替えシュート口１０３ｄと下部切替シュート口１０３ｅを備え下部切替えシュート口１０３ｅ近傍に備えた軸１０３ａによって左右に回動し、図４のように下部返却シュート口１０１ｂと上部切替えシュート口１０３ｄが合わさらず連通しなかったり、図３のように下部返却シュート口１０１ｂと上部切替えシュート口１０３ｄが合わさって連通して、釣銭払出口５から落下する硬貨の行き先を釣銭返却口７と回収用集金箱４のどちらかに振り分けている。
【００２２】
図３の場合、硬貨が落下し転動する下部返却シュート口１０１ｂと上部切替えシュート口１０３ｄの端面は面一になるように形成されている。つまり図４のように返却シュート１０１の下端に一段下げて切替えシュート１０３の受け面２０１を形成し、図４のように通路を区画する区画壁２０２と一体に成形されている。
【００２３】
また図のように、返却シュート１０１と回収シュート１０２は左右方向に区画壁２０２で区画配置されている。
【００２４】
そして図３のように返却シュート１０１と切替えシュート１０３が連通したとき上部切替えシュート口１０３ｄは受け面２０１に支持され、下部返却シュート口１０１ｂと平らな面一になるように保持される。
【００２５】
図１のように押圧部材１４に当接すると、レバー１０５の後端１０５ｂが押圧され前方に移動し、同時に前端１０５ａが切替えシュート１０３の棒状突起１０３ｃを押圧し、スプリング１０４の付勢力に反して、切替えシュート１０３を回収シュート１０２側に付勢する。また、硬貨識別機３の回収用払出口６の下部には、集金箱シュート１０６が設けられ、回収用集金箱４まで繋がっている。
【００２６】
以上のように構成された本発明の自動販売機の硬貨回収装置についてその動作について説明する。
【００２７】
まず、通常の販売状態について説明する。外扉２は本体１に対して閉じられた状態であるため、レバー１０５は押圧部材１４により前方に押圧される。それにより、レバー１０５の前端１０５ａが棒状突起１０３ｃを横方向に押圧し、切替えシュート１０３はスプリング１０４の付勢力に抗して軸１０３ａを中心に回動し、図４のように回収シュート１０２側に回転した位置にある。
【００２８】
このとき、切替えシュート１０３の一部は、返却シュート１０１と回収シュート１０２を区画する区画壁の一部となって区画壁２０２とともに硬貨を釣銭払出口５へ導く通路を形成している。その状態にて、販売動作が行われると、硬貨識別機３より釣銭として硬貨が払出される場合、硬貨識別機３の釣銭払出口５より払出された硬貨は、返却シュート１０１を通って釣銭返却口７に導かれる。
【００２９】
また、硬貨識別機３には、一定量の硬貨を保持できるがそれを超えると、あふれた硬貨は、図１の回収用払出口６から払出され、集金箱シュート１０８を経て、回収用集金箱４に収納される。
【００３０】
従って硬貨識別機３から落下した硬貨はすべて一旦同じ返却シュート１０１に導かれ、硬貨回収装置２００内の途中に形成した切替えシュート１０３を回動させることで硬貨の行き先を釣銭返却口７か回収用集金箱４のどちらかに分けるので、硬貨識別機３と硬貨回収装置２００の間での硬貨のこぼれや、硬貨回収装置２００内での硬貨の詰りを低減し、また切替えシュートは硬貨回収装置２００内で回動するのでコンパクトに設計することができ、切替えシュート１０３が硬貨回収装置２００外へ飛び出すことがないので、破損や故障を低減することができる。
【００３１】
つまり釣銭払出口５から落下する硬貨を受ける硬貨回収装置２００の返却シュート１０１は外扉２に固定されているので、釣銭払出口５から落下する硬貨を確実に返却シュート内に導くことができる。また返却シュート１０１と回収シュート１０２は左右方向に区画壁２０３によって区画配置され、切替えシュート１０３の回動軸１０３ａはその区画壁２０３上にあって、返却シュート１０１と回収シュート１０２の全幅内で回動するので硬貨回収装置２００外に飛び出すことがなくコンパクトに形成することができ装置内での詰りも低減できる。
【００３２】
次に、自動販売機の管理者が、硬貨を回収する場合について説明する。
【００３３】
管理者が扉２を開くとレバー１０５による押圧が解かれ、図２、図３のようにスプリング１０４の付勢力により切替えシュート１０３が返却シュート１０１側に回動する。
【００３４】
そして切替えシュート１０３の上部切替えシュート口１０３ｄが受け面２０１に当接して保持されて図３のように硬貨識別機３の硬貨を返却シュートから切替えシュート１０３を介して回収シュート１０２を通り回収用集金箱４に導く通路を形成する。
【００３５】
上部切替えシュート口１０３ｄの端面は受け面２０１に支持されて下部返却シュート口１０１ｂと平らな面一に保持されるので、硬貨は返却シュート１０１と切替えシュート１０３の連結部分で飛び跳ねたり、詰ったりすることなくスムーズに回収シュート１０２内に導くことができる。
【００３６】
そこで、硬貨識別機３を操作することにより、硬貨識別機３が保持している硬貨を釣銭払出口５から払出すと、払出された硬貨は、順番に返却シュート１０１、切替えシュート１０３、回収シュート１０２を経て、回収用集金箱４に集められる。これにより、すでに回収用集金箱４に貯められている硬貨とともに硬貨識別機３内の硬貨も同時に回収することができる。
【産業上の利用可能性】
【００３７】
以上のように、本発明にかかる自動販売機の硬貨回収装置は、硬貨の通路切替えに関するものであり、自動販売機に限らず、硬貨を扱う様々な産業機器に適応できる。
【図面の簡単な説明】
【００３８】
【図１】本発明の実施の形態１における自動販売機の外扉を閉じた時の硬貨回収装置の斜視図
【図２】本発明の実施の形態１における自動販売機の外扉を開けた時の硬貨回収装置の斜視図
【図３】本発明の実施の形態１における図２の要部断面図
【図４】本発明の実施の形態１における図１の要部断面図
【図５】従来の自動販売機の扉を開けた状態の斜視図
【図６】従来の自動販売機の外扉を閉じた時の硬貨回収装置の斜視図
【図７】従来の自動販売機の外扉を開けた時の硬貨回収装置の斜視図
【符号の説明】
【００３９】
３    硬貨識別機
４    回収用集金箱
５    釣銭払出口
６    回収用払出口
７    釣銭返却口
１０１  返却シュート
１０２  回収シュート
１０３  切替えシュート
１０３ａ  軸
１０４  スプリング
１０５  レバー
２００  硬貨回収装置
【図１】
2007164236.tif 000003
【図２】
2007164236.tif 000004
【図３】
2007164236.tif 000005
【図４】
2007164236.tif 000006
【図５】
2007164236.tif 000007
【図６】
2007164236.tif 000008
【図７】
2007164236.tif 000009